【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
フィッシャー・トロプシュ法によって得られる潤滑基油を含有している潤滑基油生成物であって、前記潤滑基油が、
ａ）フィッシャー・トロプシュ法によって得られる生成物を回収する工程；
ｂ）フィッシャー・トロプシュ法によって得られる前記生成物を、少なくとも、第１の留分と第２の留分とに分離する工程であって、第１の留分が１００℃で２ｃＳｔ以上であるが３ｃＳｔ未満である粘度によって特徴付けられ、しかも、第２の留分が１００℃で３．８ｃＳｔ〜８．５ｃＳｔの間の粘度によって特徴付けられる該工程；及び
ｃ）第１の留分を第２の留分と適切な割合で混合して、フィッシャー・トロプシュ法によって得られる潤滑基油であって、１００℃で３ｃＳｔ〜８ｃＳｔの間の粘度と、３５重量％未満のＴＧＡノアック揮発度とを有することによって特徴付けられる該潤滑基油を製造する工程；
を包含する方法に従って製造されている、上記潤滑基油生成物。
【請求項２】
分析方法Ｄ−６３５２又はそれと同等の方法によって、５％点〜９５％点の間で少なくとも１６７℃（３００°Ｆ）の沸点範囲分布を有している、請求項１に記載のフィッシャー・トロプシュ法によって得られる潤滑基油。
【請求項３】
ＴＧＡノアック揮発度が１２重量％以上である、請求項１に記載のフィッシャー・トロプシュ法によって得られる潤滑基油。
【請求項４】
ＴＧＡノアック揮発度が２０重量％より大きい、請求項３に記載のフィッシャー・トロプシュ法によって得られる潤滑基油。
【請求項５】
粘度指数が１３０〜１７５の間である、請求項１に記載のフィッシャー・トロプシュ法によって得られる潤滑基油。
【請求項６】
全イオウ含有量が５ｐｐｍ未満である、請求項１に記載のフィッシャー・トロプシュ法によって得られる潤滑基油。
【請求項７】
最終混合物に基づき、従来の中性の群Ｉ又は群IIの潤滑基油４０重量％〜９０重量％を更に含有している、請求項１に記載の潤滑基油生成物。
【請求項８】
最終混合物に基づき、従来の中性の群Ｉ又は群IIの潤滑基油４０重量％〜７０重量％を更に含有している、請求項７に記載の潤滑基油生成物。
【請求項９】
請求項１に記載の潤滑基油生成物と少なくとも１種の添加剤とを含有している完成潤滑剤。
【請求項１０】
「米国自動車技術者協会（ＳＡＥ）Ｊ３００」仕様（２００１年６月）を満たすマルチグレイド・クランク室用潤滑油である、請求項９に記載の完成潤滑剤。
【請求項１１】
５Ｗ−ＸＸの仕様を満たしている、請求項１０に記載の完成潤滑剤。
【請求項１２】
１０Ｗ−ＸＸの仕様を満たしている、請求項１０に記載の完成潤滑剤。
【請求項１３】
従来の中性の群Ｉ又は群IIの潤滑基油を更に含有している、請求項１０に記載の完成潤滑剤。
【請求項１４】
１０Ｗ−ＸＸの仕様を満たしている、請求項１３に記載の完成潤滑剤。
【請求項１５】
１５Ｗ−ＸＸの仕様を満たしている、請求項１３に記載の完成潤滑剤。
【請求項１６】
フィッシャー・トロプシュ法によって得られる潤滑基油を含有している潤滑基油生成物であって、前記潤滑基油が、
ａ）フィッシャー・トロプシュ法によって得られる生成物を回収する工程；
ｂ）フィッシャー・トロプシュ法によって得られる前記生成物を、少なくとも、第１の留分と第２の留分とに分離する工程であって、第１の留分が１００℃で２ｃＳｔ以上であるが３ｃＳｔ未満である粘度によって特徴付けられ、しかも、第２の留分が１００℃で７ｃＳｔ〜１２ｃＳｔの間の粘度によって特徴付けられる該工程；及び
ｃ）第１の留分を第２の留分と適切な割合で混合して、フィッシャー・トロプシュ法によって得られる潤滑基油であって、１００℃で３ｃＳｔ〜９ｃＳｔの間の粘度と、３５重量％未満のＴＧＡノアック揮発度とを有することによって特徴付けられる該潤滑基油を製造する工程；
を包含する方法に従って製造されている、上記潤滑基油生成物。
【請求項１７】
１００℃で１２〜２０ｃＳｔの間の粘度を有する底留分が、第１の留分及び第２の留分と混合されている、請求項１６に記載のフィッシャー・トロプシュ法によって得られる潤滑基油。
【請求項１８】
分析方法Ｄ−６３５２又はそれと同等の方法によって、５％点〜９５％点の間で少なくとも１７６．８℃（３５０°Ｆ）の沸点範囲分布を有している、請求項１６に記載のフィッシャー・トロプシュ法によって得られる潤滑基油。
【請求項１９】
分析方法Ｄ−６３５２又はそれと同等の方法によって、５％点〜９５％点の間で少なくとも２０４．６℃（４００°Ｆ）の沸点範囲分布を有している、請求項１８に記載のフィッシャー・トロプシュ法によって得られる潤滑基油。
【請求項２０】
粘度が、１００℃で４〜８ｃＳｔの間である、請求項１６に記載のフィッシャー・トロプシュ法によって得られる潤滑基油。
【請求項２１】
粘度が、１００℃で４〜５ｃＳｔの間である、請求項２０に記載のフィッシャー・トロプシュ法によって得られる潤滑基油。
【請求項２２】
ＴＧＡノアック揮発度が１２重量％以上である、請求項１６に記載のフィッシャー・トロプシュ法によって得られる潤滑基油。
【請求項２３】
ＴＧＡノアック揮発度が２０重量％より大きい、請求項２２に記載のフィッシャー・トロプシュ法によって得られる潤滑基油。
【請求項２４】
粘度指数が１３０〜１７５の間である、請求項１６に記載のフィッシャー・トロプシュ法によって得られる潤滑基油。
【請求項２５】
全イオウ含有量が５ｐｐｍ未満である、請求項１６に記載のフィッシャー・トロプシュ法によって得られる潤滑基油。
【請求項２６】
最終混合物に基づき、従来の中性の群Ｉ又は群IIの潤滑基油４０重量％〜９０重量％を更に含有している、請求項１６に記載の潤滑基油生成物。
【請求項２７】
最終混合物に基づき、従来の中性の群Ｉ又は群IIの潤滑基油４０重量％〜７０重量％を含有している、請求項２６に記載の潤滑基油生成物。
【請求項２８】
請求項１６に記載の潤滑基油生成物と少なくとも１種の添加剤とを含有している完成潤滑剤。
【請求項２９】
「米国自動車技術者協会（ＳＡＥ）Ｊ３００」仕様（２００１年６月）を満たしているマルチグレイド・クランク室用潤滑油である、請求項２８に記載の完成潤滑剤。
【請求項３０】
５Ｗ−ＸＸの仕様を満たしている、請求項２９に記載の完成潤滑剤。
【請求項３１】
１０Ｗ−ＸＸの仕様を満たしている、請求項２９に記載の完成潤滑剤。
【請求項３２】
従来の中性の群Ｉ又は群IIの潤滑基油を更に含有している、請求項２８に記載の完成潤滑剤。
【請求項３３】
１０Ｗ−ＸＸの仕様を満たしている、請求項３２に記載の完成潤滑剤。
【請求項３４】
１５Ｗ−ＸＸの仕様を満たしている、請求項２８に記載の完成潤滑剤。
【請求項３５】
３ｃＳｔ〜１０ｃＳｔの間の粘度を有しており、しかも、フィッシャー・トロプシュ法によって得られる潤滑基油を含有している潤滑基油生成物であって、前記潤滑基油が、１００℃で３〜９ｃＳｔの間の粘度と、３５重量％未満のＴＧＡノアック揮発度と、２８８℃（５５０°Ｆ）〜３２９．７℃（６２５°Ｆ）の範囲内の初留点と、５３８．２℃（１０００°Ｆ）〜７６０．６℃（１４００°Ｆ）の間の最終沸点とによって特徴付けられ；しかも、前記混合物の２０重量％未満が、５０％沸点±１３．９℃（２５°Ｆ）により規定される領域内で沸騰する、上記潤滑基油生成物。
【請求項３６】
分析方法Ｄ−６３５２又はそれと同等の方法によって、５％点〜９５％点の間で少なくとも１７６．８℃（３５０°Ｆ）の沸点範囲分布を有している、請求項３５に記載のフィッシャー・トロプシュ法によって得られる潤滑基油。
【請求項３７】
分析方法Ｄ−６３５２又はそれと同等の方法によって、５％点〜９５％点の間で少なくとも２０４．６℃（４００°Ｆ）の沸点範囲分布を有している、請求項３６に記載のフィッシャー・トロプシュ法によって得られる潤滑基油。
【請求項３８】
粘度が、１００℃で４〜５ｃＳｔの間である、請求項３５に記載のフィッシャー・トロプシュ法によって得られる潤滑基油。
【請求項３９】
ＴＧＡノアック揮発度が１２重量％以上である、請求項３５に記載のフィッシャー・トロプシュ法によって得られる潤滑基油。
【請求項４０】
ＴＧＡノアック揮発度が２０重量％より大きい、請求項３９に記載のフィッシャー・トロプシュ法によって得られる潤滑基油。
【請求項４１】
粘度指数が１３０〜１７５の間である、請求項３５に記載のフィッシャー・トロプシュ法によって得られる潤滑基油。
【請求項４２】
全イオウ含有量が５ｐｐｍ未満である、請求項３５に記載のフィッシャー・トロプシュ法によって得られる潤滑基油。